(57)【特許請求の範囲】
【請求項１】
ディスクの内径に挿通し、前記ディスクを内径周辺において支持する支持手段を有する一対の挿通部材を前記ディスクの内径から突出する端部が所定の間隔を隔てて対向するように配して構成されるディスク保持手段と、
前記一対の挿通部材の対向する端部間に設けられる第１の間隙において、ターンテーブルの回転軸が前記一対の挿通部材に挿通する各ディスクの略中心を通る位置に前記ターンテーブルを搬送する第１のターンテーブル搬送手段と、
前記ディスク保持手段から選択された選択ディスクを前記ターンテーブル上に押圧するクランパと、
前記選択ディスクが押圧された前記ターンテーブルを前記クランパと共に前記第１の間隙から前記一対の挿通部材のそれぞれに挿通するディスクの対向面間における第２の間隙に搬送する第２のターンテーブル搬送手段と、
前記選択ディスクを前記ターンテーブル上に載置することにより前記選択ディスク上に形成される間隙に前記クランパを搬送する前記第１のターンテーブル搬送手段とは独立に動作するクランパ搬送手段とを備えたこと
を特徴とするディスク再生装置。
【請求項２】
請求項１に記載のディスク再生装置において、
第１のターンテーブル搬送手段によりターンテーブルを搬送する際、クランパ搬送手段はクランパを第２の間隙を避けた位置に待避させること
を特徴とするディスク再生装置。
【発明の詳細な説明】
【０００１】
【発明の属する技術分野】
本発明は、複数のディスクを収納し、その中から選択されたディスクを再生するディスク再生装置およびディスク再生方法に関するものである。
【０００２】
【従来の技術】
図１３は、特許公報第２８１３１７４号に記載されたディスク再生装置の構成を示す図である。同図に記載のディスク再生装置は、垂直方向に移動可能に保持された複数のトレイにディスクを収納するものであり、主に車載用として用いられる。図１３（ａ）は、ディスクを収納するトレイの構成を示す分解斜視図である。同図において、９０はディスクｄが載置されるトレイで、鉛直に設けられた軸９５、９６、９７に摺動可能に保持されている。図１３（ｂ）（ｃ）はディスク再生装置の構成を示す上面図および側面図であり、３はターンテーブル、４は光学式ピックアップであり、これらは再生ベース５に搭載されている。６はディスクｄをターンテーブルに押圧するクランパ、７はクランパ６を保持するクランパアームである。クランパアーム７は再生ベース５に揺動自在に保持されている。再生ベース５は、支軸９２により回動自在に支持されると共に、軸方向に移動自在に支持される。
【０００３】
選択ディスクを再生する場合、選択ディスクが載置されたトレイ９０が図示しない分離位置決め手段により他のトレイから分離され、トレイの上下面側に空間が形成される。トレイ９０の上下面に再生ベース５、およびクランパ６を挿入するのに十分な空間が確保されると、再生ベース５がモータ１０８により選択ディスクが載置されたトレイ位置まで昇降される。その後、再生ベース５が支軸９２周りに回動し、図１３（ａ）（ｂ）に示すようにターンテーブル３、クランパ６が選択ディスクｄの中央部に搬送され、図１３（ｃ）に示すように図示しない手段により、クランパアーム７が支軸７ｄを中心に揺動し、ディスクｄをトレイ９０から押し上げて離間し、ターンテーブル３に押圧保持する。ディスクがクランプされると、図示しないスピンドルモータによりディスクｄが回転され、クランプ位置においてディスク再生が行われる。
【０００４】
【発明が解決しようとする課題】
従来のディスク再生装置は、積層上に保持されたトレイによりディスクを保持するため、トレイの厚みによりディスク収納部が大きくなり、車載用として狭い空間に装備する場合に問題があった。
【０００５】
本発明は上記に対しディスクをトレイに収容することなく積層状に保持することによりディスク収納部の寸法を縮小したディスク再生装置であり、特に再生時におけるディスク保持手段と再生手段との干渉を防止することが可能なディスク再生装置を提供することを目的とする。
【０００６】
【課題を解決するための手段】
本発明によるディスク再生装置は、ディスクの内径に挿通し、前記ディスクを内径周辺において支持する支持手段を有する一対の挿通部材を前記ディスクの内径から突出する端部が所定の間隔を隔てて対向するように配して構成されるディスク保持手段と、
前記一対の挿通部材の対向する端部間に設けられる第１の間隙において、ターンテーブルの回転軸が前記一対の挿通部材に挿通する各ディスクの略中心を通る位置に前記ターンテーブルを搬送する第１のターンテーブル搬送手段と、
前記ディスク保持手段から選択された選択ディスクを前記ターンテーブル上に押圧するクランパと、
前記選択ディスクが押圧された前記ターンテーブルを前記クランパと共に前記第１の間隙から前記一対の挿通部材のそれぞれに挿通するディスクの対向面間における第２の間隙に搬送する第２のターンテーブル搬送手段と、
前記選択ディスクを前記ターンテーブル上に載置することにより前記選択ディスク上に形成される間隙に前記クランパを搬送する前記第１のターンテーブル搬送手段とは独立に動作するクランパ搬送手段とを備えたものである。
【００１０】
さらに、本発明によるディスク再生方法は、ディスクの内径に挿通し、前記ディスクを内径周辺において支持する支持手段を有する一対の挿通部材を前記ディスクの内径から突出する端部が所定の間隔を隔てて対向するように配することにより前記各挿通部材に挿通するディスクを保持し、前記一対の挿通部材の対向する端部間における第１の間隙にターンテーブルの回転軸が前記挿通部材に挿通するディスクの略中心を通る位置に前記ターンテーブルを搬送し、前記選択ディスクがクランパにより前記ターンテーブル上に押圧された後に、前記クランパを前記ターンテーブルと共に前記第１の間隙から前記一対の挿通部材のそれぞれに挿通するディスクの対向面間における前記第１の間隙より広い第２の間隙に搬送し、前記第２の間隙において前記選択ディスクの再生を開始するものである。
【００１２】
【発明の実施の形態】
以下、本発明の一実施の形態を図面に基づいて説明する。なお、図において従来と同一または相当するものについては同一符号を付して説明を省略する。
【００１３】
実施の形態１．
以下、本発明の一実施の形態に関わるディスク再生装置の構成を図面に基づいて説明する。
【００１４】
１．ディスク選択保持機構
図１に本発明の実施の形態によるディスク選択保持機構の構成を示す。同図に示すディスク選択保持機構は、本出願人による先の出願に記載されたものを採用したものであり、その詳細は国際出願番号ＰＣＴ／ＪＰ９９／０３３１６に記載されている。図１に示すディスク選択保持機構において、５１００は、天板９００に固着された第１挿通部材、５２００はベース１に固着された第２挿通部材である。５３００は第２挿通部材に嵌合し、上下方向に移動可能に支持される第３挿通部材である。５４１０〜５４６０は第１挿通部材５１００、および第２挿通部材５２００の周縁部において上下方向に移動自在に保持される第１〜６スペーサーである。第１〜６スペーサは第１、２挿通部材に挿通するディスクをセンターホール周辺部において支持する。図１に示すディスク選択保持機構によれば、６枚のディスクを蓄積することができる。
【００１５】
以下、図１に示すディスク選択保持機構の動作を示す。図２は、第２ディスクｄ２が選択された状態から、第３ディスクｄ３を再生するまでのディスクチェンジの流れを示している。図２（ａ）は、第２ディスクｄ２の再生が終了し、ターンテーブル３に載置されていた第２ディスクｄ２が後述する保持アーム（同図においては図示されていない）により所定の挟持位置において挟持された状態を示している。このとき第１ディスクｄ１は第１挿通部材５１００により保持され、第３〜６ディスクｄ３〜ｄ６は第３挿通部材５３００により保持されている。この状態から第３〜６ディスクｄ３〜ｄ６を保持した第３挿通部材５３００が上方に移動し、図２（ｂ）に示すよう第１挿通部材５１００に接続される。このとき第２ディスクｄ２は第３挿通部材５３００により保持された第２スペーサー（図１に５４２０により示す）上に支持される。図２（ｂ）に示すように第２ディスクｄ２が第３挿通部材５３００により保持されると、それまで第２ディスクｄ２を挟持していた保持アームが第２ディスクｄ２から離間する。この後、図２（ｃ）に示すように各ディスクｄ１〜ｄ６が、図１に示した第１〜６スペーサ５４１０〜５４６０により上方に移動し、そのうち第２ディスクｄ２が第１挿通部材５１００に移動する。このとき、第３スペーサ５４３０上に支持された第３ディスクｄ３が保持アーム（同図においては図示されていない）により挟持される。一方、第３挿通部材５３００は第４〜６ディスクｄ４〜ｄ６を保持した状態で下方へ移動する。以上の動作により図２（ｄ）に示すように第３ディスクｄ３（以下これを選択ディスクと称す）が選択される。
【００１６】
選択ディスクｄ３が保持アームにより挟持されると図２（ｅ）に示すようにターンテーブル３が選択ディスクｄ３の下面側の間隙に搬送される。このとき、ターンテーブル３の回転軸は選択ディスク、および保持ディスクｄ１〜６の中心位置を通る位置に搬送され、再生ベース５の裏面に設けられたストッパ４００が第２挿通部材５２００に係合するすることにより位置決めされる。ターンテーブル３上に選択ディスクｄ３を載置すると選択ディスクｄ３上の間隙が拡大する。選択ディスクｄ３を載置して形成された間隙に図２（ｆ）に示すようにクランパ６が搬送され、図２（ｇ）に示すようにクランパ６が選択ディスクｄ３をターンテーブル上に押圧する。この後、選択ディスクｄ３をクランプしたターンテーブル３とクランパ６は第１、２挿通部材の端部間の間隙から待避し、図２（ｈ）に示すように保持ディスクｄ２、ｄ４との間隙に搬送され、ディスク再生が行われる。
【００１７】
図２（ｄ）に示すように、選択ディスクｄ３の上下面側において保持される保持ディスクｄ２、ｄ４の内径からは第１、２挿通部材５１００、５２００の端部が突出している。このため第１、２挿通部材５１００、５２００の対向する端部間の間隙（以下、これを第１の間隙と称す）は、保持ディスクｄ２、ｄ４の対向面による間隙（以下、これを第２の間隙と称す）よりも狭くなっている。従って、ターンテーブル３およびクランパ６を第１の間隙に搬送し、選択ディスクｄ３をクランプした後、第２の間隙に待避して再生を行うことにより外部衝撃時にターンテーブル３およびクランパが第１、２挿通部材５１００、５２００と干渉することを防ぐことができる。また図２（ｅ）に示すように、ターンテーブル３は回転軸が各保持ディスクの中心を通る位置に位置決めされるので選択ディスクｄ３の載置を正確に行うことができる。また、図２（ｅ）に示すように、ターンテーブル３は回転軸が各保持ディスクの中心を通る位置に位置決めされるので選択ディスクｄ３の載置を正確に行うことができる。さらに、図２（ｆ）に示すように選択ディスクｄ３がターンテーブル３上に載置されて形成された間隙にクランパ６を搬送するので、ディスククランプに必要な第１の間隙を小さくすることが可能であり、装置の縦寸法を縮小することができる。
【００１８】
２．ディスク再生機構
図３に本発明によるディスク再生装置の構成図を示す。図３において、本体のベース１には駆動モータ７０、図示しないクラッチ機構を有するクラッチギア５００、その他各種の駆動機構が配設されている。６７はツメ６７ｌ、６７ｍ、６７ｎを有する係止部材である。２はベース１に振動緩衝部材３０により浮動可能に支持されたサブベースである。６７はサブベースの裏面に形成されたツメ２ｌ、２ｍ、２ｎに係合するツメ６７ｌ、６７ｍ、６７ｎを有する係止部材であり、ディスク再生時にサブベースの係止を解除する。６０１、６０２、６０３はサブベース２の裏面に回動可能に軸支されたカムギアである。クラッチギア５００は、カムギア６０１〜６０３に順次動力を伝達するための図示しないクラッチ手段を有する。
【００１９】
２００はサブベース２上に図中Ｘ−Ｘ’方向に摺動可能に支持された並進プレートである。並進プレート２００の裏面にはサブベース２に形成されたガイド溝２ｄに係合するピン２００ｄが植設されている。２０１は並進プレート２００に固着されるサブプレートである。サブプレート２０１の裏面にはターンテーブル３を搭載した再生ベース５を回動可能に軸支する支軸２０が形成されている。また、並進プレート２００にはクランパ６を保持するクランパアーム７が回動可能に装着される支軸２１が形成されている。サブベース２上には、再生ベース５、並進プレート２００、クランパアーム７を駆動するレバー等の連動機構が装着されている。
【００２０】
（１）再生ベース駆動機構
再生ベース５には、レバー１６の裏面に形成された第１ピン１６ａと係合する孔５ａが形成されている。１６ｃはレバー１６に一体的に形成されたカム部であり、カム部１６ｃの裏面には、サブベース２に設けられた溝２ｅに係合する第２ピン１６ｅが形成されている。カム部１６ｃに形成されたカム形状１６ｂは、サブベース２上に揺動可能に支持される揺動レバー１５のピン１５ｂと係合する。揺動レバー１５の裏面にはカムギア６０３のカム溝６０３ａに係合するピン１５ａが形成されており、カムギア６０３の回動に伴い上記の連動機構が作用し、再生ベース５が図中Ｐ−Ｐ’方向に回動する。
（２）並進ベース駆動機構
１３、１４はサブプレート２上に揺動可能に軸支された揺動レバーである。揺動レバー１３、１４にはサブプレート２００の孔２００ａ、２００ｂに係合するピン１３ａ、１４ａが形成されている。１２はサブプレート２００上に図中Ｎ−Ｎ’方向に摺動可能に配設されたラックプレートである。ラックプレート１２の両端には揺動レバー１３、１４に形成されたギア部１３ｇ、１４ｇと噛合するギア部が形成されている。ラックプレート１２の裏面にはカムギア６０２のカム溝６０２ａに係合するピン１２ａが形成されており、カムギア６０２の回動に伴い上記の連動機構が作用し、並進プレート２００が図中Ｘ−Ｘ’方向に並進する。
【００２１】
（３）クランパ駆動機構
１０はクランパアーム７を保持するとともに支軸２１周りに回動するクランパアーム保持部材である。クランパアーム保持部材１０には回動動作のためのカム溝１０ａが形成されたカム部が一体的に形成されている。１９は並進ベース２００上に図中Ｙ−Ｙ’方向に摺動可能に配設された第１駆動プレートである。第１駆動プレート１９にはクランパアーム保持部材１０のカム溝１０ａに係合する駆動ピン１９ａが形成されている。１８はサブベース２上に図中Ｙ−Ｙ’方向に摺動可能に配設された第２駆動プレートである。第２駆動プレート１８には第１駆動プレート１９ａの裏面に形成されたピン１９ｂと係合するガイド溝１８ａが形成されている。１７はサブベース２上に揺動可能に支持される揺動レバーである。揺動レバー１７には第２駆動プレート１８の裏面に形成されたピン１８ｂと係合する溝１７ｂが形成されている。揺動レバー１７の裏面にはカムギア６０１のカム溝６０１ａに係合するピン１７ａが形成されており、カムギア６０１の回動に伴い上記の連動機構が作用し、クランパアーム７が図中Ｑ−Ｑ’方向に回動する。
【００２２】
３．ディスク再生までの動作
以下、本発明によるディスク再生装置の動作について図面に基づいて説明する。
図４はディスクチェンジが完了した状態を示す上面図、および側面図である。図４に示すように、再生ベース５、およびクランパアーム７はディスクチェンジの妨げとならないようにディスク保持領域から待避した状態で並進ベース２００、およびサブプレート２０１の間に収納されている。カムギア６０１〜６０３が回動を開始すると、図５に示すように再生ベースが支軸２０を中心にＰ方向に回動し、第２の間隙に搬送される。
【００２３】
図１０は、再生ベース５の回動時における連動機構の動作を説明するための説明図である。カムギア６０３が回動すると図１０（ｂ）に示すように、レバー１５がａ１を中心に回動し、これに応動して駆動レバー１６がａ２を中心に回動する。これにより再生ベース５の孔５ａに係合する第１ピン１６ａが再生ベース５を回動する。このときレバー１６の裏面に設けられる第２ピン１６ｅは溝２ｅの曲線部を摺動する。
【００２４】
再生ベース５が回動し、ターンテーブル３が第２の間隙に搬送されると、図６に示すように並進プレート２００が図中Ｘ方向に並進し、ターンテーブル３が第１の間隙に搬送される。このとき再生ベース５の裏面に設けられたストッパ４００が第２挿通部材５２００に当接することにより、ターンテーブル３の回転軸が各ディスクｄ１〜ｄ６の中心を通るように再生ベース５が位置決めされる。このとき、クランパアーム７は図中Ｑ’方向に回動することによりディスク保持領域を避けた位置に待避する。
【００２５】
図１１は、並進プレート２００の並進時における連動機構の動作を説明するための説明図である。カムギア６０２の回動に伴うカム溝６０２ａの作用により図１１（ｂ）に示すようにラックプレート１２が図中Ｎ方向に摺動する。このときラックプレート１２の両端部に噛合する揺動レバー１３、１４が回動し、並進プレート２００をＸ方向に摺動する。
並進ベース２００が図中Ｘ方向に並進すると図１０（ｃ）に示すように、レバー１５のピン１５ｂが駆動レバー１６に形成されたカム形状１６ｂから離間する。このとき駆動レバー１６の裏面に形成された第２ピン１６ｅが溝２ｅの直線部を摺動することにより、再生ベース５を回動位置に位置決めした状態で並進ベース２００が並進する。
選択ディスクｄ３がターンテーブル３上に載置されると図７に示すように、選択ディスクｄ３上に形成された間隙にクランパアーム７が搬送される。
【００２６】
図１２はクランパアーム７の回動動作を説明するための説明図である。図１０において１０ａはクランパアーム保持部材１０に一体的に形成されたカム部のカム溝であり、駆動ピン１９ａが係合している。駆動ピン１９が図中Ｙ−Ｙ’方向に摺動するとクランパアーム保持部材１０は図中Ｑ−Ｑ’方向に回動される。図１２（ｂ）は、第１駆動プレート１９が図中Ｙ’方向に並進すると同時に図６に示すようにクランパアーム７が図中Ｑ’方向に待避した様子を示している。第１駆動プレート１９が図中Ｙ方向に摺動すると図１２（ｃ）に示すようにクランパアーム保持部材１０が図中Ｑ方向に回動することにより図７に示すようにクランパ６がクランプ位置に搬送される。
尚、第１駆動プレート１９はカムギア６０１の回動に伴って揺動する揺動レバー１７、揺動レバー１７によりＹ−Ｙ’方向に摺動する第２駆動プレート１８を順次介してＹ−Ｙ’方向に駆動される。
【００２７】
クランパ６がクランプ位置に搬送されると、図８に示すように図示しないディスククランプ手段によりクランパアーム７がディスク面に向かって揺動し、クランパ６が選択ディスクｄ３をターンテーブル３上に押圧する。ディスクがクランプされると、図９に示すように並進ベース２００が図中Ｘ’方向に摺動することにより、選択ディスクｄ３をクランプしたターンテーブル３とクランパ６が第１の間隙から第２の間隙に待避し、ディスク再生が開始される。また、このとき係止部材６７の爪６７ｌ、６７ｍ、６７ｎがサブベース２の爪２ｌ、２ｍ、２ｎから離間し、サブベース２が振動緩衝部材３０により浮動可能に支持される。
【００２８】
再生ベース５の回動、並進ベース２００の並進、クランパアーム７の回動の各動作は、カムギア６０１〜６０３に形成される各カム溝６０１ａ〜６０３ａの形状により制御される。また、ストッパ４００によるターンテーブル３の位置決め動作はリミッタ機構等を用いて制御してもよい。
尚、再生が終了し、次のディスクの選択操作が行われると、カムギア６０１〜６０３が逆回転することにより図９〜図４の動作が行われる。
【００２９】
【発明の効果】
本発明によるディスク再生装置は、ディスクの内径に挿通し、挿通するディスクを内径周辺において支持する一対の挿通部材を用いてディスクを保持し、前記一対の挿通部材のそれぞれに挿通するディスクの対向面間の第２の間隙に搬送される再生手段を用いてディスクを再生するように構成されており、ターンテーブル及びクランパを第１の間隙に搬送し、選択ディスクをクランプした後、前記第２の間隙に待避して再生を行い、さらに、選択ディスクをターンテーブル上に押圧するクランパを搬送するクランパ搬送手段は、前記第１の間隙において、ターンテーブルの回転軸が前記一対の挿通部材に挿通する各ディスクの略中心を通る位置に前記ターンテーブルを搬送する第１のターンテーブル搬送手段とは独立に動作するように構成されており、前記選択ディスクを前記ターンテーブル上に載置することにより前記選択ディスク上に形成される間隙にクランパを搬送するので、ディスククランプに必要な第１の間隙を小さくすることが可能であり、装置の縦寸法を縮小することができる。
【図面の簡単な説明】
【図１】  本発明の一実施形態によるディスク保持機構の構成を示す図である。
【図２】  本発明の一実施形態によるディスク再生装置の動作を示す図である。
【図３】  本発明の一実施形態によるディスク再生装置の構成を示す分解斜視図である。
【図４】  本発明の一実施形態によるディスク再生装置の動作を示す図である。
【図５】  本発明の一実施形態によるディスク再生装置の動作を示す図である。
【図６】  本発明の一実施形態によるディスク再生装置の動作を示す図である。
【図７】  本発明の一実施形態によるディスク再生装置の動作を示す図である。
【図８】  本発明の一実施形態によるディスク再生装置の動作を示す図である。
【図９】  本発明の一実施形態によるディスク再生装置の動作を示す図である。
【図１０】  再生ベースの回動動作を説明するための説明図である。
【図１１】  並進プレートの並進動作を説明するための説明図である。
【図１２】  クランパアームの回動動作を説明するための説明図である。
【図１３】  従来のディスク再生装置の構成を示す図である。
【符号の説明】
２  サブベース、３  ターンテーブル、５  再生ベース、６  クランパ、７  クランパアーム、１０  クランパアーム保持部材、１１  クランプ制御部材、２０、２１  支軸、３０  振動緩衝部材、２００  並進プレート、２０１  サブプレート、２１０  保持アーム、５１００  第１挿通部材、５２００  第２挿通部材
【図１】
0003991570.tif 000002
【図２】
0003991570.tif 000003
【図３】
0003991570.tif 000004
【図４】
0003991570.tif 000005
【図５】
0003991570.tif 000006
【図６】
0003991570.tif 000007
【図７】
0003991570.tif 000008
【図８】
0003991570.tif 000009
【図９】
0003991570.tif 000010
【図１０】
0003991570.tif 000011
【図１１】
0003991570.tif 000012
【図１２】
0003991570.tif 000013
【図１３】
0003991570.tif 000014